(57)【要約】【課題】褥瘡の危険度が高い患者の、褥瘡予防を行うことができるように改良された介護用ベッドを提供することを主要な目的とする。【解決手段】介護用ベッドは、底板３を備える。底板３の頭部側と足元側に、ヘッドボードとフットボードが設けられている。底板３の側部に手すりが設けられる。底板３の上に、天然ゴム発泡体で形成されたマットレス２０が設けられている。マットレス２０が天然ゴム発泡体で形成されているので、体圧分散能力に優れており、長時間体位交換をしなくても、褥瘡予防ができる。【選択図】図１
2007185235.tif 000002
【特許請求の範囲】
【請求項１】
患者を寝かせて介護する介護用ベッドであって、
底板と、
前記底板の頭部側と足元側に設けられた、ヘッドボードとフットボードと、
前記底板の側部に設けられた手すりと、
前記底板の上に設けられ、天然ゴム発泡体で形成されたマットレスとを備えた介護用ベッド。
【請求項２】
前記底板と前記マットレスの間に、前記ヘッドボード側から前記フットボード側に延びるように互いに平行に設けられ、交互に空気を入れて膨らませることによって、前記マットレスを交互に傾斜させる一対の空気袋をさらに備える請求項１に記載の介護用ベッド。
【請求項３】
前記一対の空気袋の少なくとも一方は、頭部側と足側の２つの部分に分割されており、互いに独立に空気を入れて膨らませることができるようにされている、請求項２に記載の介護用ベッド。
【請求項４】
前記空気袋に入れる空気の量によって前記マットレスの傾斜角度を調節できるようにした請求項２または３に記載の介護用ベッド。
【請求項５】
前記底板と前記マットレスの間に、前記ヘッドボード側から前記フットボード側に延びる空気袋を複数個、患者の身体の幅方向に互いに平行になるように配置し、それぞれの空気袋に時間間隔を置いて独立に空気を送排気し順次膨張・収縮させることにより、前記マットレスを患者の身体の幅方向に波打たせることができるようにされた請求項１に記載の介護用ベッド。
【請求項６】
前記底板と前記マットレスの間に、患者の身体の幅方向に延びる空気袋を前記ヘッドボード側から前記フットボード側に向けて複数個互いに平行になるように配置し、それぞれの空気袋に時間間隔を置いて独立に空気を送排気し順次膨張・収縮させることにより、前記マットレスを患者の身長方向に波打たせることができるようにされた請求項１に記載の介護用ベッド。
【請求項７】
前記マットレスは、１００％天然ラテックスフォームラバーで形成されている請求項１−６に記載の介護用ベッド。
【請求項８】
天然ゴム発泡体の孔の深さを各部位（頭部、背部、臀部、足部）に合わせて、微妙に変化させている、請求項１−７に記載の介護用ベッド。
【請求項９】
前記マットレスの表面が紫外線をカットするフィルムで被覆されている、請求項１−８に記載の介護用ベッド。
【発明の詳細な説明】
【技術分野】
【０００１】
本発明は一般に介護用ベッドに関するものであり、より特定的には床ずれを防止することができるように改良された介護用ベッドに関する。
【背景技術】
【０００２】
図７は、介護用ベッドの本体の斜視図である。介護用ベッドは、メインフレーム１とサイドフレーム２を備える。メインフレーム１の上には、略中央部で折れ曲げ可能な構造にされた底板３が設けられる。底板３の頭部側と足元側に、ヘッドボード４とフットボード５が設けられる。底板３の側部に手すり６が設けられる。使用時は、図８に示すように、底板３の上にウレタンフォームで形成されたマットレス７を置いて、その上に患者を寝かせている。底板３は中央部で折れ曲げ可能にされているので、機械の力で、底板３の頭部側を持ち上げることで、マットレス７の頭部側を持ち上げ、患者の上半身を、図のように起き上がらせることができる。
【発明の開示】
【発明が解決しようとする課題】
【０００３】
従来の介護用ベッドは以上のように構成されている。
【０００４】
ところで、寝たきりの患者の場合、約２時間毎に、患者の身体を傾斜もしくは横向きにして、１０〜１５分間、体位交換をしないと血流が阻害され、長時間圧迫された部分の細胞が壊死してしまい、いわゆる褥瘡を発症する。褥瘡は、図９中、斜線部で示す床ずれ部分から生じる。床ずれ部分は、後頭部１０、肩１１、肩甲骨１２、脊髄１３、肘１４、仙骨１５、大転子１６、膝の内側１７、かかと１８にできやすい。褥瘡は、発生してから治療するのではなく、予防をすることが大切である。そこで、体圧を特定の部分に集中させずに、分散して支えるために、体位交換を行っている。しかし、寝たきりの患者を２時間毎に体位交換する作業は、重労働であるため、介護者は腰を痛める事が多い。一方、体位交換をされる側の患者も、実は、２時間毎に窮屈な体型を取らされることになり、就寝中も眠りを中断され、熟睡できないのである。
【０００５】
また、このような体位交換を頻繁に行っていても、患者の栄養状態や免疫力の変化などで、褥瘡が発症する危険度が高くなることがある。このような場合、エアーマットを使用するケースが多いのであるが、エアーマットは構造上、常に患者の身体の一部に強い圧力を与える事にならざるを得ないのである。
【０００６】
しかしながら、褥瘡の危険がある患者の身体には圧力を与えてはいけないのが基本原則とされているのに、他に方法が無いことを理由に、短時間なら許されるとして、一時的にせよ患者に圧力を与えているのが実体である。そこで、できるならば短時間にしろ、このような負担を患者に与えることは避けたいのである。
【０００７】
この発明は上記のような課題を解決するためになされたもので、寝返りを支援することで、褥瘡の危険度が高い患者の褥瘡予防を行うことができるように改良された介護用ベッドを提供することを目的とする。
【０００８】
この発明の他の目的は、自動で体位を交換できるように改良された介護用ベッドを提供することにある。
【０００９】
この発明の他の目的は、患者が就寝中においても眠りを中断させずに、体位交換ができるように改良された介護用ベッドを提供することにある。
【００１０】
この発明の他の目的は、介護者が腰を傷めずに、患者の体位交換ができるように改良された介護用ベッドを提供することにある。
【００１１】
この発明のさらに他の目的は、患者の身体のマッサージをも行うことができるように改良された介護用ベッドを提供することにある。
【課題を解決するための手段】
【００１２】
本発明にかかる介護用ベッドは、底板と、上記底板の頭部側と足元側に設けられたヘッドボードとフットボードと、上記底板の側部に設けられた手すりと、上記底板の上に設けられ、天然ゴム発泡体で形成されたマットレスとを備える。
【００１３】
この発明によれば、マットレスが天然ゴム発泡体で形成されているので、体圧分散能力に優れており、長時間体位交換をしなくても、褥瘡予防ができる。
【００１４】
この発明の好ましい実施態様によれば、上記底板と上記マットレスの間に、上記ヘッドボード側から上記フットボード側に延びるように互いに平行に設けられ、交互に空気を入れて膨らませることによって、上記マットレスを交互に傾斜させる一対の空気袋をさらに備える。このように構成すると、空気の力でマットレスを交互に傾斜させることができ、ひいてはマットレス上の患者を左右に傾けることができる。
【００１５】
上記一対の空気袋の少なくとも一方は、頭部側と足側の２つの部分に分割されており、互いに独立に空気を入れて膨らませることができるようにされているのがさらに好ましい。
【００１６】
このように構成することにより、マットレス上の患者を左右に傾けることができるばかりか、右足または左足のみを上げさせることができる。
【００１７】
上記空気袋に入れる空気の量によって、上記マットレスの傾斜角度を調節できるようにするのが好ましい。このように構成することにより、患者の症状に応じた体位交換を行うことができるようになる。
【００１８】
この発明の他の局面に従う介護用ベッドにおいては、上記底板と上記マットレスの間に、上記ヘッドボード側から上記フットボード側に延びる空気袋を複数個、患者の身体の幅方向に互いに平行になるように配置し、それぞれの空気袋に時間間隔を置いて独立に空気を送排気し順次、上記マットレスを患者の身体の幅方向に波打たせることができるようにされている。
【００１９】
この発明のさらに他の局面に従う介護用ベッドにおいては、上記底板と上記マットレスの間に、患者の身体の幅方向に延びる空気袋を上記ヘッドボード側から上記フットボード側に向けて複数個互いに平行になるように配置し、それぞれの空気袋に時間間隔を置いて独立に空気を送排気し順次、上記マットレスを患者の身長方向に波打たせることができるようにされている。
【００２０】
上記マットレスは、１００％天然ラテックスフォームラバーで形成されている。
【００２１】
上記天然ゴム発泡体の孔の深さを各部位（頭部、背部、臀部、足部）に合わせて、微妙に変化させるのが好ましい。
【００２２】
さらに、上記マットレスの表面は紫外線をカットするフィルムで被覆されているのが好ましい。
【発明の効果】
【００２３】
本発明にかかる介護用ベッドによれば、長時間体位交換をしなくとも、褥瘡予防が出来る。また数時間毎の体位交換のみで、褥瘡の危険度が高い患者の、褥瘡予防を行うことができる。
【発明を実施するための最良の形態】
【００２４】
褥瘡の危険度が高い患者の、褥瘡予防を行うことができるように改良された介護用ベッドを得るという目的を、底板の上に設けられるマットレスを天然ゴム発泡体で形成するということによって実現した。以下、本発明の実施例を添付図面を参照して説明する。
【実施例１】
【００２５】
図１は、実施例１にかかる介護用ベッドの、底板３から上の部分の概念図である。底板３およびそれよりも下の部分は、図６に示す従来例と同じである。本実施例にかかる介護用ベッドが図５に示す従来例と異なる点は、マットレス２０が天然ゴム発泡体で形成されていることである。天然ゴム発泡体は、１００％天然ラテックスフォームラバーで形成される。１００％天然ラテックスフォームラバーは、ゴム樹液を原料とする。マットレス２０を天然ゴム発泡体で形成することにより、身体２１がマットレス２０に沈み込み、体圧が矢印方向に分散される。床ずれは身体の同じ部位に長時間かかる圧迫から生じるが、本実施例によれば、この圧迫を軽減し分散させることが可能となり、毛細血管の血液循環をよくし、身体の組織への持続圧迫をなくすることができるので、床ずれを予防することができる。
【００２６】
図２は、人が寝たときにかかる体重の圧力を、実施例と比較例との対比で示した図である。図２（Ａ）は、本実施例にかかる介護用ベッドを用いて体重の圧力を測定した結果を示した図であり、図２（Ｂ）は比較例にかかる従来の介護用ベッドを用いて体重の圧力を測定した結果を示した図である。点ハッチングで示した部分３１は、圧力が２〜８ｍｍＨｇかかっている部分を表し、斜線部分３２は圧力が５０ｍｍＨｇかかっている部分であり、これだけの圧力を示す部分は褥瘡発生危険ゾーンである。図２（Ａ）と（Ｂ）を比較参照して、本実施例によれば、５０ｍｍＨｇ圧がかかる褥瘡発生危険ゾーン３２がほとんど無くなっており、分散されているのが一目瞭然である。
【００２７】
なお、身体の突き出た部分により多くの体圧がかかるので、これを考慮して、天然ゴム発泡体の孔の深さを各部位（頭部、背部、臀部、足部）に合わせて、微妙に変化させることが好ましい。これにより、最適に体圧を分散し、より最適に床ずれを予防することができる。
【００２８】
発泡の程度は、硬さで定量化され、ソフト（１０．２ｋｇｆ以下）、ミディアム（１０．２〜１７．２ｋｇｆ）およびハード（１２．２ｋｇｆ以上）に大きく分けられる。褥瘡の程度の大きい患者には、ソフトのものが好ましく使用される。
【００２９】
また、天然ゴム発泡体は紫外線が当たることにより、劣化しやすい傾向にあるため、紫外線をカットするフィルムでマットレスを被覆するのが好ましい。この被覆はぴんぴんに張りつめるように行うのではなく、マットレスと紫外線カットフィルムとの間に隙間ができるように余裕をもたせて被覆するのが好ましく、これにより、身体がマットレスに沈み込むのを妨げなくなる。
【００３０】
なお、天然ゴム発泡体中の孔を、表面から裏面にかけて泡と泡とがくっついている連立発泡構造にすると、図３に示すように空気の流れる通路ができ、通気性が良くなる結果、床ずれの原因となる水分（湿気）４１を取り除くことができる。
【実施例２】
【００３１】
図４（Ａ）は、実施例２にかかる介護用ベッドの、底板３から上の部分の概念図である。底板３およびそれよりも下の部分は、図６に示す従来例と同じである。
【００３２】
実施例２にかかる介護用ベッドは、底板３と天然ゴム発泡体で形成されたマットレス２０の間に、ヘッドボード側からフットボード側に延びるように一対の空気袋４０ａ，４０ｂが互いに平行に配置されている。一対の空気袋４０ａ，４０ｂを交互に空気を入れて膨らませることによって、マットレス２０を交互に傾斜させることができる。一対の空気袋４０ａ，４０ｂにはホース４１が取り付けられ、ホース４１はポンプ（図示せず）に接続されている。
【００３３】
図４（Ｂ）を参照して、ポンプからの送風により右肩側の空気袋４０ａが膨らまされると、左側に寝返りを打つことができ、図４（Ｃ）を参照して、左肩側の空気袋４０ｂが膨らまされると、右側に寝返りを打つことができる。傾斜角度は、空気袋４０ａ，４０ｂに入れる空気の量によって調整することができ、左右傾斜最大角度は２０度以内に設定される。この操作は自動で行われ、患者に負担をかけず、ゆっくりと身体を左右に傾かせることができるので、従来行っていた１〜２時間毎の体位交換が不要となり、患者の安眠を確保できる。
【００３４】
また、身体を動かすことが困難な患者でも、無理なく寝返りができ、腰や背中の痛みを和らげる。また左右の傾斜を利用して、両手で手すりをつかむことにより、身体を起こすことが出来る。起き上がることができると、ベッドから降りることも可能になり、患者は自立への意欲をもちながら、さらに機能回復へと向うことができる。一方、介護者も腰を傷めずに、患者の体位交換をできる。
【実施例３】
【００３５】
なお、上記実施例では、ヘッドボード側からフットボード側に延びる２本の空気袋を設ける場合を例示したが、この発明はこれに限られるものでなく、図５（Ａ）に示すように、底板とマットレスの間に、ヘッドボード側からフットボード側に延びる空気袋４０を複数個、患者の身体の幅方向に、互いに平行になるように間隔を隔てて配置し、コンピュータ制御により、それぞれの空気袋４０に時間間隔を置いて、ポンプ（図示せず）を用いて、送り込み用ホース４１ａおよび排気用ホース４１ｂを介して独立に空気を送排気し、それぞれの空気袋４０を順次膨張・収縮させることにより、マットレスを患者の身体の幅方向に波打たせるようにしてもよい。
【００３６】
また、図５（Ｂ）に示すように、底板とマットレスの間に、患者の身体の幅方向に延びる空気袋４０をヘッドボード側からフットボード側に向けて複数個、間隔を隔てて互いに平行になるように配置し、コンピュータ制御により、それぞれの空気袋４０に時間間隔を置いて、ポンプ（図示せず）を用いて、送り込み用ホース４１ａおよび排気用ホース４１ｂを介して独立に空気を送排気し、それぞれの空気袋４０を順次膨張・収縮させることにより、マットレスを患者の身長方向に波打たせるようにしてもよい。このように構成することにより、マッサージ効果が得られる。
【実施例４】
【００３７】
本実施例４は、実施例２にかかる介護用ベッドのさらなる変形例であり、図６に示すように、一対の空気袋４０ａ，４０ｂのそれぞれは、頭部側４０ａ-１，４０ａ-２と足側４０ｂ-１，４０ｂ-２の２つの部分に分割されており、コンピュータ制御により、それぞれの空気袋４０に時間間隔を置いて、ポンプ（図示せず）を用いて、送り込み用ホース４１ａおよび排気用ホース４１ｂを介して独立に空気を送排気し、それぞれの空気袋を順次膨張・収縮させることができるようにされている。このように構成することにより、マットレス２０上の患者を左右に傾けることができるばかりか、右足または左足のみを上げさせることができる。
【００３８】
なお、本変形例では、一対の空気袋４０ａ，４０ｂのそれぞれを２つの部分に分割する場合を例示したが、この発明はこれに限られるものでなく、一方側のみを分割し、３つの部分について、患者の症状に応じて、交互に独立に空気を入れて膨らませることができるようにしてもよい。
【００３９】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４０】
本発明は、褥瘡の危険度が高い患者の、褥瘡予防を行うことができる介護用ベッドを与える。
【図面の簡単な説明】
【００４１】
【図１】実施例１にかかる介護用ベッドの、底板から上の部分の概念図である。
【図２】人が寝たときにかかる体重の圧力を実施例と比較例とで示した図である。
【図３】マットレスを形成する天然ゴム発泡体中の孔を連立発泡構造にした場合の作用効果を示した図である。
【図４】実施例２にかかる介護用ベッドの動作を説明する図である。
【図５】実施例３にかかる介護用ベッドの概念図である。
【図６】実施例４にかかる介護用ベッドの概念図である。
【図７】介護用ベッドの本体の斜視図である
【図８】従来のウレタンフォーム製マットレスを使用した介護用ベッドの使用状態図である。
【図９】床ずれが生じる部分を図示した図である。
【符号の説明】
【００４２】
１   メインフレーム
２   サイドフレーム
３   底板
４   ヘッドボード
５   フットボード
７   マットレス
１０ 後頭部
１１ 肩
１２ 肩甲骨
１３ 脊髄
１４ 肘
１５ 仙骨
１６ 大転子
１７ 内側
２０ マットレス
２１ 身体
３２ 褥瘡発生危険ゾーン
４０ａ，４０ｂ，４０ａ-１，４０ａ-２，４０ｂ-１，４０ｂ-２   空気袋
４１ ホース
【図１】
2007185235.tif 000003
【図２】
2007185235.tif 000004
【図３】
2007185235.tif 000005
【図４】
2007185235.tif 000006
【図５】
2007185235.tif 000007
【図６】
2007185235.tif 000008
【図７】
2007185235.tif 000009
【図８】
2007185235.tif 000010
【図９】
2007185235.tif 000011